(57)【要約】【課題】フォトインタラプタ等のセンサを取り外す際の作業工数を減らすとともに、センサの破損を防ぐ。【解決手段】駆動手段（２１）の駆動力をレンズ群に伝達する伝達手段（４０）と、駆動手段（２１）の駆動量を検出する検出手段（４４）と、少なくとも検出手段（４４）を収容するハウジング（５１，５２）と、ハウジング（５１，５２）に検出手段（４４）を付勢して固定する付勢部材（５０）とを備えている。【選択図】図２
2008298961.tif 000002
【特許請求の範囲】
【請求項１】
駆動手段の駆動力をレンズ群に伝達する伝達手段と、
前記駆動手段の駆動量を検出する検出手段と、
少なくとも前記検出手段を収容するハウジングと、
前記ハウジングに前記検出手段を付勢して固定する付勢部材と
を備えていることを特徴とするレンズ鏡筒。
【請求項２】
前記伝達手段は、減速ギヤ列と、前記減速ギヤ列とは独立した増速ギヤ列とを有していることを特徴とする請求項１記載のレンズ鏡筒。
【請求項３】
前記付勢部材の付勢力が、異なる２つの方向から前記検出手段を前記ハウジングに押し付けることを特徴とする請求項１又は２記載のレンズ鏡筒。
【請求項４】
前記付勢部材は、前記検出手段の第１の面を付勢する第１付勢部と、この第１付勢部に一体に形成され、前記検出手段の前記第１の面とは異なる第２の面を付勢する第２付勢部とを有していることを特徴とする請求項１〜３のいずれか１項記載のレンズ鏡筒。
【請求項５】
前記ハウジングの外部で、前記検出手段の端子に接続されたフレキシブルプリント基板のばね力を打ち消す方向へ前記検出手段に対する前記付勢部材の付勢力が作用することを特徴とする請求項１〜４のいずれか１項記載のレンズ鏡筒。
【請求項６】
前記検出手段は非接触型であることを特徴とする請求項１〜５のいずれか１項記載のレンズ鏡筒。
【発明の詳細な説明】
【技術分野】
【０００１】
この発明はレンズ鏡筒に関する。
【背景技術】
【０００２】
近年、カメラの電子化が進み、レンズ鏡筒内に、フォーカシングモータやズーミングモータを含む駆動機構と、駆動機構の駆動量を検出するフォトインタラプタ等のセンサとが組み込まれている。
【特許文献１】特開平９−２２２５４６号公報
【発明の開示】
【発明が解決しようとする課題】
【０００３】
フォトインタラプタはビスや接着等の方法を用いてレンズ鏡筒内の基板に固定されているため、フォトインタラプタを取り外す際に作業工数がかかり、フォトインタラプタを破損するおそれもあった。
【０００４】
この発明の課題はフォトインタラプタ等のセンサを取り外す際の作業工数を減らすとともに、センサの破損を防ぐことである。
【課題を解決するための手段】
【０００５】
上記課題を解決するため請求項１記載の発明は、駆動手段の駆動力をレンズ群に伝達する伝達手段と、前記駆動手段の駆動量を検出する検出手段と、少なくとも前記検出手段を収容するハウジングと、前記ハウジングに前記検出手段を付勢して固定する付勢部材とを備えていることを特徴とする。
【０００６】
請求項２に記載の発明は、請求項１記載のレンズ鏡筒において、前記伝達手段は、減速ギヤ列と、前記減速ギヤ列とは独立した増速ギヤ列とを有していることを特徴とする。
【０００７】
請求項３に記載の発明は、請求項１又は２記載のレンズ鏡筒において、前記付勢部材の付勢力が、異なる２つの方向から前記検出手段を前記ハウジングに押し付けることを特徴とする。
【０００８】
請求項４に記載の発明は、請求項１〜３のいずれか１項記載のレンズ鏡筒において、前記付勢部材は、前記検出手段の第１の面を付勢する第１付勢部と、この第１付勢部に一体に形成され、前記検出手段の前記第１の面とは異なる第２の面を付勢する第２付勢部とを有していることを特徴とする。
【０００９】
請求項５に記載の発明は、請求項１〜４のいずれか１項記載のレンズ鏡筒において、前記ハウジングの外部で、前記検出手段の端子に接続されたフレキシブルプリント基板のばね力を打ち消す方向へ前記検出手段に対する前記付勢部材の付勢力が作用することを特徴とする。
【００１０】
請求項６に記載の発明は、請求項１〜５のいずれか１項記載のレンズ鏡筒において、前記検出手段は非接触型であることを特徴とする。
【発明の効果】
【００１１】
この発明によれば、フォトインタラプタ等のセンサを取り外す際の作業工数を減らすとともに、センサの破損を防ぐことができる。
【発明を実施するための最良の形態】
【００１２】
以下、この発明の実施の形態を図面に基づいて説明する。
【００１３】
図１はこの発明の一実施形態に係るレンズ鏡筒の断面を示す概念図である。
【００１４】
レンズ鏡筒１は、保持環１０と固定筒１１とズーム環１２と第１レンズ群保持部材１３と第２レンズ群保持部材１４とフォーカス駆動環１５と回転筒歯車部１５ｂとヘリコイド部材１７と直進連動キー１８と第１レンズ群Ｌ１と第２レンズ群Ｌ２と第３レンズ群Ｌ３とを備えている。レンズ鏡筒１は一眼レフカメラやデジタルスチルカメラに装着可能である。
【００１５】
保持環１０はカメラ側のマウントに装着するためのマウントであり、バヨネット部等を有する。保持環１０は固定筒１１にビス１０ａで取り付けられている。
【００１６】
ズーム環１２は、焦点距離を変更するズーミング操作時に光軸回りへ回転させる操作部材であり、カム溝１２ａ，１２ｂを備えている。
【００１７】
第１レンズ群保持部材１３は第１レンズ群Ｌ１を保持するレンズ保持枠１３Ａとレンズ保持枠１３Ａを保持する環状部材１３Ｂとを有する。レンズ保持枠１３Ａはビス１３ｃで環状部材１３Ｂに固定されている。環状部材１３Ｂは内周面に設けられたメスヘリコイドねじ１３ａと外周面に設けられた係合爪１３ｂとを有する。第１レンズ群保持部材１３には係合爪１３ｂを介してフォーカス駆動環１５の回転が伝達される。
【００１８】
第２レンズ群保持部材１４は第２レンズ群Ｌ２と第３レンズ群Ｌ３とを保持する部材であって、カム溝１２ｂと係合する突起１４ａと、直進連動キー１８と係合する案内溝１４ｂ等とを有する。
【００１９】
フォーカス駆動環１５はピニオンギヤ２０によって光軸回りへ回転する部材であって、光軸方向へ延びた係合腕１５ａと、後部の内周面に設けられた回転筒歯車１５ｂとを備えている。回転筒歯車１５ｂはピニオンギヤ２０の歯車２０ａと噛み合う。
【００２０】
フォーカス駆動環１５は、減速装置（伝達手段）４０（図２参照）を構成するピニオンギヤ２０、ギヤ列（４１ｃ〜２２ａ）を介してオートフォーカス（以下ＡＦという）の駆動源である超音波モータ（駆動手段）２１に接続されている。
【００２１】
ヘリコイド部材１７は第１レンズ群保持部材１３の回転運動を光軸方向の移動に変換するラセン機構である。ヘリコイド部材１７は、外周面に設けられたオスヘリコイドねじ１７ａと、内周面に設けられたカムフォロア１７ｂと、直進案内溝（図示せず）とを有する。カムフォロア１７ｂはカム溝１２ａに係合している。
【００２２】
直進連動キー１８はビス１１ａで固定部１１に固定されている。直進連動キー１８は後第２レンズ群保持部材１４を光軸方向へガイドする。
【００２３】
第１レンズ群Ｌ１、第２レンズ群Ｌ２は撮影光学系を形成している。第１レンズ群Ｌ１はフォーカシング時に移動するフォーカシングレンズである。第１レンズ群Ｌ１はレンズＬ１１及びレンズＬ１２からなる。第２レンズ群Ｌ２，第３レンズ群Ｌ３はズーミング時に第１レンズ群Ｌ１とは独立して一体的に動作する。第２レンズ群Ｌ２はレンズＬ２１、レンズＬ２２及びレンズＬ２３からなり、第３レンズ群Ｌ３はレンズＬ３１及びレンズＬ３２からなる。
【００２４】
第１レンズ群Ｌ１を保持する第１レンズ群保持部材１３に回転力を与えると、第１レンズ群保持部材１３が光軸方向へ移動し、フォーカス動作が行われる。係合爪１３ｂがフォーカス駆動環１５の係合腕１５ａと係合しているので、フォーカス駆動環１５が回転する。
【００２５】
なお、第１レンズ群保持部材１３に回転力を与えるのは、ＡＦ時には超音波モータ２１の回転駆動力がギヤ列（２２ａ〜４１ｃ）、ピニオンギヤ２０、フォーカス駆動環１５を介して伝えられる回転駆動力であり、ＭＦ時には第１レンズ群保持部材１３を撮影者の手動操作による回転駆動力である。
【００２６】
一方、ズーム動作は撮影者がズーム環１２に手動で回転力を与えることによって行われる。ズーム環１２の回転にともなってヘリコイド部材１７が光軸方向へ移動する。このとき、ヘリコイド部材１７にヘリコイドねじ結合している第１レンズ群保持部材１３もヘリコイド部材１７と一体に光軸方向へ移動し、第１レンズ群Ｌ１がズーミング動作する。
【００２７】
また、ズーム環１２が回転すると、第２レンズ群Ｌ２、第３レンズ群Ｌ３は直進連動キー１８にガイドされて回転することなく光軸方向へ移動してズーミング動作する。
【００２８】
図２は減速装置の断面を示す概念図である。
【００２９】
減速系のギヤ列（減速ギヤ列）４１と増速系のギヤ列（増速ギヤ列）４２とが超音波モータ２１の出力軸２２を挟んで配置されている。
【００３０】
減速系のギヤ列４１はギヤ４１ａ，４１ｂ，４１ｃとピニオンギヤ２０で構成され、超音波モータ２１の駆動力をフォーカス駆動環１５に伝達する。回転軸Ａ１に取り付けられたギヤ４１ａは超音波モータ２１の出力軸２２に取り付けられたギヤ２２ａと噛み合う。ギヤ４１ａとギヤ４１ｂとは同軸（回転軸Ａ１）上に配置され、ギヤ４１ａはギヤ４１ｂより大径である。ギヤ４１ｂと噛み合うギヤ４１ｃはギヤ４１ａより大径である。ピニオンギヤ２０はギヤ４１ｃと同軸（回転軸Ａ２）上に配置されている。ピニオンギヤ２０の歯車２０ａはフォーカス駆動環１５の回転筒歯車１５ｂと噛み合う。
【００３１】
増速系のギヤ列４２はギヤ４２ａ，４２ｂ，４２ｃ，４２ｄで構成される。回転軸Ａ３に取り付けられたギヤ４２ａは超音波モータ２１の出力軸２２に取り付けられたギヤ２２ａと噛み合う。ギヤ４２ａはギヤ４２ｃの回転軸Ａ４と同軸上に配置されたギヤ４２ｂと噛み合う。ギヤ４２ｃはギヤ４２ｄと噛み合う。ギヤ４２ｄの回転軸Ａ５には遮光板としての羽根部４３が一体に取り付けられている。羽根部４３には複数のスリット４３ａが周方向に等間隔に形成されている。なお、羽根部４３にはスリット４３ａに代えて孔を等間隔に形成してもよい。
【００３２】
羽根部４３の一部は、非接触型の回転検出センサであるフォトインタラプタ（検出手段）４４のＵ字状の開口部内に入り込んでいる。フォトインタラプタ４４にはスリット４３ａを挟んで図示しない投光部と受光部とが対向配置されている。フォトインタラプタ４４は板ばね（付勢部材）５０で下部ハウジング５１に付勢されて固定されている。
【００３３】
フォトインタラプタ４４が羽根部４３のスリット４３ａを検出する度にパルス信号が出力される。そして、パルス数をカウントすることで、超音波モータ２１の回転量を検知でき、これによりレンズＬ１１，Ｌ１２の位置を検出できる。
【００３４】
フォトインタラプタ４４の端子４４ａはフレキシブルプリント配線板４５の一端に半田４４ｂ等で接続されている。フレキシブルプリント配線板４５の他端はレンズ鏡筒１内の制御回路部（図示せず）に接続される。また、フレキシブルプリント配線板４６は超音波モータ２１への電力を供給する。
【００３５】
超音波モータ２１は高トルク且つ小型であるという特長を有する。超音波モータ２１はハウジング５１にビス５１ｂで固定されている。
【００３６】
また、下部ハウジング５１と上部ハウジング５２とで、ギヤ４１ａ，４１ｂの軸Ａ１、ギヤ４１ｃの軸Ａ２、ギヤ４２ａの軸Ａ３、ギヤ４２ｂ，４２ｃの軸Ａ４及びギヤ４２ｄの軸Ａ５をそれぞれ回転可能に支持している。
【００３７】
図３は図２の部分拡大図、図４は図３のＡ矢視方向から見た破断面を示す概念図、図５は板ばねの斜視図である。なお、図４において、板ばね５０の両端部が断面で示されている。
【００３８】
板ばね５０は第１付勢部５０ａと第２付勢部５０ｂと支持部５５とを有する。支持部５５は水平部５５ａと垂直部５５ｂ，５５ｃとからなる。支持部５５の水平部５５ａの中間部にほぼＵ字形状の第１付勢部５０ａが形成されている。第１付勢部５０ａの先端部に第２付勢部５０ｂが形成されている。第２付勢部５０ｂは第１付勢部５０ａに対してほぼ直角に折り曲げられている。また、水平部５５ａには、板ばね５０を上部ハウジング５２に位置決めガイドする支柱５４を通す孔５６ａと、上部ハウジング５２と下部ハウジング５１とを結合するビス６０を通す孔５６ｂとが形成されている。垂直部５５ｂ，５５ｃには、下部ハウジング５１の爪部５１ｃ，５１ｄに引っ掛ける矩形状の穴５０ｃ−１，５０ｄ−１がそれぞれ設けられている。
【００３９】
第１付勢部５０ａはフォトインタラプタ４４の第１の面４４ｃを付勢して面４４ｅを下部ハウジング５１の面５１ａに押し当てる。
【００４０】
第２付勢部５０ｂは第１付勢部５０ａに一体に形成され、フォトインタラプタ４４の第２の面４４ｄを付勢して面４４ｆを下部ハウジング５１の面５１ｂに押し当てる。面５１ａと面５１ｂとはほぼ直角の関係である。
【００４１】
第２付勢部５０ｂは、ハウジング５１，５２の外部でフォトインタラプタ４４の端子４４ａに接続されたフレキシブルプリント基板４５のばね力を打ち消す方向へフォトインタラプタ４４を付勢する。フレキシブルプリント基板４５は曲げ部４５ａでほぼ直角に折り曲げられ、矢印ａに示す方向へフレキシブルプリント基板４５のばね力が作用している。
【００４２】
下部ハウジング５１の両側面には板ばね５０の垂直部５５ｂ，５５ｃの幅よりわずかに広く、垂直部５５ｂ，５５ｃの厚さよりわずかに深い溝５７が形成されている。溝５７には、溝５７の底面と斜めに交わる斜面部５８と直交する垂直部５９とからなるクサビ状の爪部５１ｃ，５１ｄが形成されている。爪部５１ｃ，５１ｄの大きさは板ばね５０の穴５０ｃ−１，５０ｄ−１に係合できる大きさである。
【００４３】
フォトインタラプタ４４の固定方法を説明する。
【００４４】
フォトインタラプタ４４を下部ハウジング５１の所定位置に載置した後、板ばね５０を図４の矢印Ｂ方向から下部ハウジング５１に挿入すると、板ばね５０のフック部５０ｃ，５０ｄが爪部５１ｃ，５１ｄの斜面部５８に沿って摺動し、爪部５１ｃ，５１ｄ間の距離が広がる。
【００４５】
板ばね５０を更に挿入し、穴５０ｃ−１，５０ｄ−１の一辺が垂直部５９まで来ると、弾性によって板ばね５０は元に戻り、爪部５１ｃ，５１ｄと穴５０ｃ−１，５０ｄ−１とが係合する。その結果、板ばね５０を下部ハウジング５１から引き抜こうとしても、穴５０ｃ−１，５０ｄ−１の一辺が垂直部５９と当接して、板ばね５０を下部ハウジング５１から引き抜けなくなる。
【００４６】
その後、ビス６０で上部ハウジング５２を下部ハウジング５１に取り付け、板ばね５０を下部ハウジング５１と上部ハウジング５２とで挟んだ状態で固定する。
【００４７】
その結果、フォトインタラプタ４４は下部ハウジング５１の所定位置に固定される。
【００４８】
フォトインタラプタ４４を取り外す際には、ビス６０を外し、爪部５１ｃ，５１ｄからフック部５０ｃ，５０ｄを外すだけでよい。フォトインタラプタ４４は外部へ露出するので、フォトインタラプタ４４を下部ハウジング５１から取り外すことができる。
【００４９】
この実施形態によれば、フォトインタラプタ４４を従来例のようにビス止めや接着剤で基板に固定しないので、フォトインタラプタ４４を取り外す際の作業工数を減らすとともに、フォトインタラプタ４４の破損を防ぐことができる。また、板ばね５０で直交する２方向からフォトインタラプタ４４を付勢するので、フォトインタラプタ４４を確実にハウジング５１に固定することができる。更に、２つの板ばねでそれぞれ異なる方向からフォトインタラプタ４４を付勢する方法に比べて作業性が向上する。
【００５０】
なお、板ばね５０を上部ハウジング５２とともにプラスチックで一体成形するようにしてもよい。このようにすれば、より迅速にフォトインタラプタ４４の取り外しを行うことができる。
【図面の簡単な説明】
【００５１】
【図１】図１はこの発明の一実施形態に係るレンズ鏡筒の断面を示す概念図である。
【図２】図２は減速装置の断面を示す概念図である。
【図３】図３は図２の部分拡大図である。
【図４】図４は図３のＡ矢視方向から見た破断面を示す概念図である。
【図５】図５は板ばねの斜視図である。
【符号の説明】
【００５２】
１：レンズ鏡筒、２１：超音波モータ（駆動手段）、４０：減速装置（伝達手段）、４１：減速系のギヤ列（減速ギヤ列）、４２：増速系のギヤ列（増速ギヤ列）、４４：フォトインタラプタ（検出手段）、４４ｃ：第１の面、４４ｄ：第２の面、４５：フレキシブルプリント基板、５０：板ばね（付勢部材）、５０ａ：第１付勢部、５０ｂ：第２付勢部、５１，５２：ハウジング、５１ａ，５１ｂ：面、Ｌ１，Ｌ２，Ｌ３：レンズ群。
【図１】
2008298961.tif 000003
【図２】
2008298961.tif 000004
【図３】
2008298961.tif 000005
【図４】
2008298961.tif 000006
【図５】
2008298961.tif 000007